(57)【要約】      （修正有）【課題】利用価値が高く、使用個数が莫大に多く、注視度合いが最適な、紙製カップ容器の利用システムを提供すること。【解決の手段】円筒状または逆円錐筒状に形成された紙製の側壁部と、側壁部の小径端を閉塞する紙製の底部で構成される紙製カップ容器の、側壁部や蓋に販売促進用の対象商品と設問を印刷掲示し、通信回線や郵便によるアンケートを収集し、コンピュータによる分類検討を効果的に行うシステム。【選択図】図３
2005212895.tif 000002
【特許請求の範囲】
【請求項１】
円筒状または逆円錐筒状に形成された紙製のカップ容器の側壁部に、紙カップ容器製造者または容器自主発注製造者の自主広告以外の、商品絵図やサービス情報を掲示し、掲載商品に対するアンケートを求めることを特徴とする紙製カップ容器。
【請求項２】
紙製カップ容器に発注者の商品を掲示し、アンケートを受理収集を行う受注者は、回収した情報を分析研鑽し、そのデーターを発注者などに提供する、ことを特徴する紙製カップ容器の利用システム。
【請求項３】
アンケート回答に興味と利便性を与える為に、回答方法などを明示記載し容易に剥離するシールを紙製カップ容器に貼付し、シールの持ち帰りを特徴としたシール。
【発明の詳細な説明】
【技術分野】
【０００１】本発明は、紙製カップ容器に関するものである。
【背景技術】
【０００２】従来から、紙製カップは普及し知られている。文献的にも、特開平６−４８４３６号公報には、紙カップに蓋を付けることか記載されている。また、実開平６−７２４７７号公報には、飲料液を高温で注入しても持つ手が熱に耐えられる断熱装置をカップに装備する紙製カップが記載されている。
【特許文献１】      特開平６−４８４３６号公報
【特許文献２】      実開平６−７２４７７号公報
【発明の開示】
【発明が解決しようとする課題】
【０００３】しかしながら、上記の特許文献１及び特許文献２に記載されているもの以外に登録は多数有るが、カップの構造や材質が全てで紙カップの外壁面に関する工夫開発はまったく着目されていない。【０００４】従来、紙カップ容器は飲料用の物で衛生的な清潔感から白色の紙を用い製造されている。近来、一部に花柄や幾何模様などのカラー付色の物も流通され始めている。大手飲食チェーンでは自社名をカラー印刷した独自カップを採用している。側壁面を模様やカラー化するのは白色では清潔感は有るが、華やかさが不足するとの企業感覚からである。【０００５】本来、紙カップは陶器やガラス材質のカップを洗浄し幾回も使用する習慣から、洗浄作業人件費の削減で出現したものであり、紙カップは短期、一回使用で廃棄が目的である。
厳粛に考えれば、一回使用廃棄のカップに、清潔な環境と高級材質の白紙を多数の技術者が努力して製作し、一回の使用で廃棄する現状は再考を要し活用すべきものである。【０００６】本発明は、この活用の発明で、利用価値が高く、紙カップ使用に付加価値を与え、二次的利用となるものである。
【課題を解決するための手段】
【０００７】本発明の紙製カップの容器本体は、円筒状または逆円錐筒状に形成された紙製の側壁部と、前記円筒状の側壁部の一端を閉塞し、または前記逆円錐筒状の側壁部の小径端を閉塞する紙製の底部と、から構成される紙製カップである。【０００８】このように、本発明の紙製カップ容器本体は、すべての部分が紙製であり材質は白色の紙を使用している。白色の紙面は印刷に最適で印刷内容を鮮明に刷り出す。【０００９】この印刷紙面は紙製カップの容器本体の、円筒状または逆円錐筒状の側壁部であり、側壁部の面積は推察感より広く、多用される口径８０ｃｍのカップではハガキの紙面の２倍に近いものである。【００１０】本発明は、この白紙面を販売促進研究に有効活用するもので、販売促進を計画する販売者が発注して自社商品を紙面に掲示し、購入者の反応や意見のアンケートを収集することを特徴とするものである。【００１１】商品販売者は発注者となって商品の提示とアンケート目的を受注者に提供し、受注者は商品絵図とアンケート設問を工夫作成し、企画された稿目を紙製カップ容器側壁部に印刷により掲示されたカップを製造し、これをカップ使用および利用場所に頒布することを特徴とするものである。【００１２】紙製カップの使用および利用は、コーヒー・紅茶・ジュースなどの喫茶飲料店の外、一般会社の給茶給水やスポーツ会場で大量に使用され、機械化販売も発展し頒布先はこれらの場所となる。【００１３】本発明カップによる飲料の購入者は、従来に無い紙製カップの側壁部を見て興味を持ち、アンケートに関心を持つものである。通常、関心はあるが回答のための回答先を記憶する熱意まではなく、また飲料後の残液が付着しているカップを持ち帰るほどの熱意もない、ことが通例である。この関心の持続のために本発明は剥離が簡単に可能な、回答方法や回答先が記載されているシールを容器に貼付し置き、回答方法の暗記を強要せずシールを剥離して持ち帰り、安易にアンケートを可能とする貼付シールを特徴とするものである。【００１４】アンケートは受注者にコンピュータネットや郵便などで回収され、回収されたアンケートは調査分類されて販売促進の材料となる。資料は発注者などの求めに応じ提供することを特徴とする。【００１５】このように、紙製カップの側壁部に商品の絵図または文字を掲示すれば、使用者の目に留まる確率が非常に高く、購買層の意見反応のアンケートを最大に収集ができ、回答先を持ち帰るシールは画期的であり、アンケート収集方法として絶大な効果を期待できる。
【発明の効果】
【００１６】本発明の紙製カップ容器利用は、新聞紙面や新聞折り込みチラシなどの調査費よりも経費的に安価である。新聞紙面を利用すると料金は非常に高く、折り込みチラシも又しかりであるが、商品メーカーや販売者は商品市場の動向調査や、商品の購入意欲調査など調査研究は盛んである。購買者の意向を知ることにより販売方法が左右されるからである。この重大課題がより安価に達成されることに、意欲が動くことは当然で本発明が関心を呼ぶことは必然的である。【００１７】本発明の安価である基礎は、紙製カップの採用目的は飲料であり、飲料が終了した後の容器は廃棄するスペースであるからである。本発明の利用が無ければ、直ちに消滅する物であるからで、他の新聞やチラシの場合は全て有効期限材質の新品を採用しているもので、当然な代価であり、本発明の再利用は特徴とされるものである。【００１８】本発明の商品展示とアンケートの募集方法、即ち場所は特異で特徴となるものである。新聞やチラシのアンケート募集方法は、同種募集が並列されていなくても、多種多様な商品展示の広告が多数に有り、発注者が求める商品にのみ注目を集中させることは難事であるが、本発明の掲示場所は独占的であり、必然的に注目するもので、アンケートの有無に拘わらず記憶されるもので、販売促進には有効なものである。
【発明を実施するための最良の形態】
【００１９】次に、本発明の実施の形態について、図面を参照しながら説明する。
【実施例１】
【００２０】図１は、本実施例に係る紙製カップ容器の斜視図である。
紙製カップｌに、フランジ２ｂがあり、紙製カップ１の側壁部２ａで構成されている。
紙製カップ１は、逆円錐筒状に形成された紙製の側壁部２ａ、および側壁部２ａの下側の端部を閉塞する紙製の底部を備えている。側壁部２ａの上側の端部の外周には、リング状に形成されたフランジ２ｂが設けられ、側壁部２ａの適当な位置にシール３が貼付されている。【００２１】このように、本実施例に係る紙製カップ容器１は、全ての部分が紙製であり白紙である。商品絵図およびアンケート募集掲載部位は、側壁部２ａのフランジ２ｂ下方から、側壁部下端の底部に到るスペースである。前記したとうり充分なスペースを有するので、多数の利用者や購買者の目に留まる大きさで、商品絵図の掲示が可能なので、効果が非常に高いものである。
【図面の簡単な説明】
【００２２】
【図１】  本発明の紙製カップ容器の断面図である。
【図２】  本発明の持ち帰り用シールである。
【図３】  紙製カップ容器にアンケートを求める商品と設問を付した状態を示す図。
【符号の説明】
【００２３】１    紙製カップ容器        ３    持ち帰り用シール
２ａ  側壁部                ４Ａ  アンケートを求む商品の掲載部位
２ｂ  フランジ              ４Ｂ  アンケート設問部位
【図１】
2005212895.tif 000003
【図２】
2005212895.tif 000004
【図３】
2005212895.tif 000005
【手続補正書】
【提出日】平成16年2月4日(2004.2.4)
【手続補正１】
【補正対象書類名】特許請求の範囲
【補正対象項目名】全文
【補正方法】変更
【補正の内容】
【特許請求の範囲】
【請求項１】
円筒状または逆円錐筒状に形成された紙製カップ容器の側壁部に、紙製カップ容器製造者または紙製カップ容器自主発注製造者の自主広告以外の広告を、紙製カップ容器自主製造者以外の発注者から受注を受け、紙カップ容器を宣伝媒体として商品画像及び文字を、印刷、蒸着などの方法で掲示することを特徴とする紙製カップ容器。
【請求項２】
紙製カップ容器の側壁部に掲示された商品画像にアンケートを組み合わせて形成し、アンケートの回集による商品動向調査分析を行うことを特徴とする請求項１記載の紙製カップ容器。
【請求項３】
アンケート回答に興味と利便性を与える為に、回答方法などを明示記載し、容易に剥離する適当な大きさのシールを紙製カップ容器に貼付し、回答の為に剥離してシールを持ち帰ることを特徴とする請求項１又は２記載の紙製カップ容器。
【手続補正書】
【提出日】平成16年5月28日(2004.5.28)
【手続補正１】
【補正対象書類名】特許請求の範囲
【補正対象項目名】請求項３
【補正方法】変更
【補正の内容】
【請求項３】
アンケート回答に利便性と興味を与える為に、剥離容易なシールに回答規定が記載されたシールを持ち帰って回答する、又は携帯電話のカメラで読取るバーコードを印示することを特徴とする、請求項１又は２記載の紙製カップ容器。
【手続補正２】
【補正対象書類名】明細書
【補正対象項目名】００１３
【補正方法】変更
【補正の内容】
【００１３】本発明カップによる飲料の購入者は、従来に無い紙製カップの側壁部を見て興味を持ち、アンケートに関心を持つものである。通常、関心はあるが回答のための回答先を記憶する熱意までは無く、また飲料後の残液が付着しているカップを持ち帰るほどの熱意もない、ことが通例である。
この関心の持続と簡便な回答のために本発明は、コンピュータシステムに接続するバーコードとホームページ・アドレスを紙カップ及びシールに印刷し、接続すれば設問の明細や特典が解読される方式で、バーコードは携帯電話のカメラで読取操作し、シールは簡易に剥離可能な紙質で回答先を暗記して帰る必要の無い利便性を与え、アンケートの絶大な効果を発揮することを特徴とする。
【手続補正３】
【補正対象書類名】明細書
【補正対象項目名】００１５
【補正方法】変更
【補正の内容】
【００１５】このように、紙製カップの側壁部に商品の絵図または文字を掲示すれば、使用者の目に留まる確率が非常に高く、購買層の意見反応のアンケートを最大に収集ができ、万人の持つ携帯電話による、今だ、かって無いバーコード利用回答や暗記を必要としない回答用シールの持ち帰りは画期的であり、アンケート収集方法として絶大な効果をもたらすものである。
【手続補正４】
【補正対象書類名】明細書
【補正対象項目名】００２２
【補正方法】変更
【補正の内容】
【００２２】
【図２】本発明の持ち帰り用シールとバーコードである。
【手続補正５】
【補正対象書類名】明細書
【補正対象項目名】００２３
【補正方法】変更
【補正の内容】
【００２３】５  バーコード
【手続補正６】
【補正対象書類名】図面
【補正対象項目名】全図
【補正方法】変更
【補正の内容】
【図１】
2005212895.tif 000006
【図２】
2005212895.tif 000007
【図３】
2005212895.tif 000008
【手続補正書】
【提出日】平成16年6月30日(2004.6.30)
【手続補正１】
【補正対象書類名】特許請求の範囲
【補正対象項目名】請求項３
【補正方法】変更
【補正の内容】
【請求項３】
アンケート回答に利便性と興味を与える為に、容器側壁に剥離容易なシールに回答方法を記載し持帰りを可能とし、同じく側壁に携帯電話のカメラにより読取れるバーコードを印示し宣伝と回答を求める何れかのことを特徴とする請求項１又は２記載の紙製カップ容器。
【手続補正２】
【補正対象書類名】図面
【補正対象項目名】図４
【補正方法】追加
【補正の内容】
【図４】
2005212895.tif 000009
【手続補正書】
【提出日】平成16年7月14日(2004.7.14)
【手続補正１】
【補正対象書類名】特許請求の範囲
【補正対象項目名】全文
【補正方法】変更
【補正の内容】
【特許請求の範囲】
【請求項１】
円筒状または逆円錐筒状に形成された、紙製あるいは樹脂又は硝子製容器の外周側壁部を宣伝媒体として、商品画像とアンケートを組合わせて掲示することを特徴とするカップ容器。
【請求項２】
掲示したアンケートの回集に、剥離容易なシールに諸事案内を記載して貼付し、回答を持帰って可能としたことを特徴とする請求項１記載のカップ容器。
【請求項３】
宣伝商品画像とアンケートを、携帯電話のカメラで読取れる二次元バーコードの中に編成して外周側壁部に印示又は貼付し、読取りにより回答を求めることを特徴とした請求項１及び２記載のカップ容器。
【手続補正２】
【補正対象書類名】明細書
【補正対象項目名】００１４
【補正方法】変更
【補正の内容】
【００１４】アンケートの回集に、近来新展したコンピュータ利用の二次元バーコードを側壁部に印示し、携帯電話のカメラにより読取りアクセスで、宣伝広告する商品画像やコマーシャルのコンテンツを伝えると同時に、アクセス回数の記録などが簡易に収集できて商品動向調査分析が安易となり販売促進の材料となる。
【手続補正３】
【補正対象書類名】明細書
【補正対象項目名】００２１
【補正方法】変更
【補正の内容】
【００２１】図２は、持ち帰り用シール３である。
【手続補正４】
【補正対象書類名】明細書
【補正対象項目名】００２２
【補正方法】変更
【補正の内容】
【００２２】図３は、側壁部２ａに掲示された商品画像４Ａにアンケート４Ｂが組合わされ、適当な位置に持帰り用の諸事案内が記載された、剥離容易なシール３貼付の容器１斜視図である。
【手続補正５】
【補正対象書類名】明細書
【補正対象項目名】００２３
【補正方法】変更
【補正の内容】
【００２３】図４は、二次元バーコードを印示した斜視図である。
【手続補正６】
【補正対象書類名】明細書
【補正対象項目名】００２６
【補正方法】変更
【補正の内容】
【００２６】１    カップ容器          ４Ａ  商品画像部位
２ａ  側壁部              ４Ｂ  アンケート部位
２ｂ  フランジ            ５二次元バーコード
３    持ち帰り用シール
【手続補正７】
【補正対象書類名】図面
【補正対象項目名】全図
【補正方法】変更
【補正の内容】
【図１】
2005212895.tif 000010
【図２】
2005212895.tif 000011
【図３】
2005212895.tif 000012
【図４】
2005212895.tif 000013
【手続補正書】
【提出日】平成16年9月21日(2004.9.21)
【手続補正１】
【補正対象書類名】手続補正書
【補正対象項目名】手続補正３
【補正方法】追加
【補正の内容】
【手続補正３】
【補正対象書類名】明細書
【補正対象項目名】００２２
【補正方法】変更
【補正の内容】
【００２２】
【図１】本発明の紙製カップ容器の斜視図である。
【図２】本発明の持ち帰り用シールである。
【図３】紙製カップ容器にアンケートを求める商品と設問を付した状態を示す図。
【図４】紙製カップ容器にアンケートを求める内容を持つＱＲコードを付した状態を示す図。
【手続補正書】
【提出日】平成16年9月21日(2004.9.21)
【手続補正１】
【補正対象書類名】手続補正書
【補正対象項目名】手続補正４
【補正方法】変更
【補正の内容】
【手続補正４】
【補正対象書類名】明細書
【補正対象項目名】００２２
【補正方法】変更
【補正の内容】
【００２２】
【図１】本発明の紙製カップ容器の断面図である。
【図２】本発明の持ち帰り用シールとバーコードである。
【図３】紙製カップ容器にアンケートを求める商品と設問を付した状態を示す図
【手続補正２】
【補正対象書類名】手続補正書
【補正対象項目名】手続補正５
【補正方法】変更
【補正の内容】
【手続補正５】
【補正対象書類名】明細書
【補正対象項目名】００２３
【補正方法】変更
【補正の内容】
【００２３】１    紙製カップ容器      ３    持ち帰り用シール
２ａ  側壁部              ４Ａ  アンケートを求む商品の掲載部位
２ｂ  フランジ            ４Ｂ  アンケート設問部位
５    バーコード


【手続補正書】
【提出日】平成16年12月13日(2004.12.13)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】本発明は、カップ容器に関するものである。
【背景技術】
【０００２】従来から、紙製カップは広く普及し使用され良く知られているが、近来は紙カップに追随して樹脂製のカップも使用が盛んとなっている。これらカップの使用数量は莫大なものであり、特に使用方法が飲料カップの場合は１回の使用で廃棄する理論があり、資材的にも経済的にも現状は一考すべき問題であり、カップ材質が白地又は透明であることを基として最も適切な活用として広告媒体に利用することを思考するものである。
文献的にも、特開２００３−８４６９８号公報の広告決定システムや特開２００４−１２３１５３の広告付き包装容器用断熱部材などがある。
【特許文献１】      特開２００３−８４６９８号公報
【特許文献２】      実開２００４−１２３１５３号公報
【発明の開示】
【発明が解決しようとする課題】
【０００３】広告の媒体とするカップ容器は、既に採用され１回の使用後に廃棄されるものを対象とし、カップ容器の提供者はカップ容器使用の業務経営者であるから、自己経営業務の使用品を媒体に提供して、自己の業務に損失的影響の有無に不安を持つものである。
本発明はカップ容器提供者の不安の解消と、現状を超過する共益を導入する商品を提供して提携を図るものである。【０００４】従来、紙カップ容器は飲料用の物で衛生的な清潔感から白色の紙を用い製造されている。近来、一部に花柄や幾何模様などのカラー着色の物も流通され、大手飲食チェーンでは自社名をカラー印刷した独自カップを採用している。側壁面を模様やカラー化するのは白色では清潔感は有るが、華やかさが不足するとの企業感覚からであるが、当然に印刷費用は高額となり営業経費は増額される。【０００５】本来紙カップの採用は、陶器やガラス材質のカップを洗浄し幾回も使用する習慣が、時代の変遷から人件費が高騰し、洗浄作業が使用容器代を増額とし不採算化して出現したもので、紙カップは清潔な一回使用の短期で廃棄が主眼である。
厳粛に考えれば、一回使用廃棄のカップの製造に高級資材の白紙を清潔な環境と多数の技術者が努力して製作し、一回の使用で廃棄する現状は再考が必要で、何らかの活用をすべきものである。【０００６】本明細においては使用数量の最も多い紙製カップ名称を主題に述べるが、他の材質の容器も概ね紙製カップ容器同様とするものである。
【課題を解決するための手段】
【０００７】本発明のカップの容器本体は、円筒状または逆円錐筒状に形成された、紙製及び樹脂或は硝子の容器で、外周側壁部を広告媒体として使用する。【０００８】紙製のカップ容器の材質は白色の紙材を使用し、白色の紙面は印刷に最適で印刷表示を鮮明に刷り出す。透明な樹脂製も多少の遜色は有っても紙材に劣らない。
この印刷紙面の容積は、紙製カップの容器本体の側壁部から推測する推察面積より案外に広く、多用される２９０ＣＣカップではハガキの２倍に近い面積を有する。【０００９】本発明は、この白紙面を販売促進に有効活用するもので、販売促進を計画する販売者が広告を発注し自社商品を側壁面に掲示し、潜在需要者えの宣伝と反応や意見のアンケートを収集することを特徴とするものである。【００１０】業務のシステムは、商品販売者は発注者となって商品画像とアンケート目的を受注者に提供し、受注者は中間に経ちカップ容器の所有経営者の承諾のもと、商品絵図とアンケート設問を工夫作成し、企画された項目を紙製カップ容器側壁部に印刷により掲示し、これを配布し反響を得ることを特徴とするものである。【００１１】カップ容器の使用および利用は、コーヒー・紅茶・ジュースなどの喫茶飲料店の外、広く一般企業会社の給茶給水やスポーツ会場で大量に使用され、機械化販売にも進出して頒布が拡大されるものとなる。【００１２】本発明カップ容器による飲料品の購入者及び利用者は、従来に無いカップ容器の側壁部の掲示を見て興味を持ち、アンケートに関心を持つが回答のために表示の回答先を暗記したり、飲料後の残液が付着する容器を持ち帰るまでの熱意が無いことが、通常であり回答先表記のシールを用意することは効果的であり、シールを参考にホームページにアクセス又は通信によりアンケートする、剥離容易なシール貼付を特徴とするものである。【００１３】アンケートの回収に、近来改良されたコンピュータ利用の二次元バーコードを側壁部及びシールに印示し、携帯電話のカメラのアクセスでコンテンツの、宣伝広告の商品画像やアンケートを読み取り、同時にアクセス回数の記録などが簡易に収集できるシステムを持ち、商品動向調査分析を行えば有利な販売促進の材料となる。【００１４】このように、カップ容器の側壁部に商品の絵図または宣伝を掲示すれば、利用者の目に留まる確立が非常に高く、購買層に対する宣伝や反応意見のアンケート意欲を最大に高め、更に二次元バーコードや回答先を持ち帰るシールの採用で、簡易で画期的なアンケート収集方法として絶大な効果が期待できるものである。
【発明の効果】
【００１５】本発明のカップ容器利用は、新聞紙面や新聞折り込みチラシなどの調査費よりも経費的に安価である。新聞紙面を利用すると料金は非常に高く、折り込みチラシも又しかりであるが、商品メーカーや販売者は商品市場の動向調査や、商品の購入意欲調査など調査研究は盛んで、購買者の意向を知ることにより販売方法が左右されるからである。この重大課題がより安価に達成されることに、意欲が動くことは当然で本発明が関心を呼ぶことは必然的である。【００１６】本発明の安価である基礎は、カップ容器の使用目的は喫飲であり、喫飲が終了した後の容器は廃棄する無価値品であるからである。本発明の利用が無ければ、直ちに廃棄消滅する物で、本発明の再利用は画期とされるものである。【００１７】本発明の広告媒体としての掲示スペースは、媒体として得難い特異スペースである。特異な特徴といえるのは同一媒体スペースに競合する広告が無く、更に広告を手に取って見る媒体はあまり例が無く、喫飲中若しくはテーブルに置かれて有っても必ず目に入る広告であるから宣伝効果は絶大となり、新聞やチラシの広告方法は同一スペースの紙面内に多種多様な商品広告が羅列され、発注者が求める自己の商品のみに注目を集中させたい望みは達成困難であるが、本発明は必然的に注目を集中させるもので、アンケート反応の有無に拘わらず商品は記憶され、販売促進の意図に効果を発するものである。
【発明を実施するための最良の形態】
【００１８】次に、本発明の実施の形態について、図面を参照しながら説明する。
【実施例１】
【００１９】図１は、カップ容器１の斜視図である。
紙製カップ１には、フランジ２ｂと、側壁部２ａで構成されている。
紙製カップ１は、逆円錐筒状に形成された紙製の側壁部２ａ、および側壁部２ａの下側の端部を閉塞する紙製の底部を備えている。側壁部２ａの上辺端部の外周には、リング状に形成されたフランジ２ｂが設けられている。【００２０】図２は、持ち帰り用シール３である。
容易に剥離するシールに、アンケートの回答先や設問概要及び流行のポイント或はＱＲコートを印刷表示し、応募者が回答を現場で致し難い状況において、設問や回答先を記憶に残す自信が無く喫飲カップを持ち帰る行為を嫌悪する便利のために、カップ容器から剥離して持ち帰り好む処でシール内容を参考にアンケートの作成を可能としたものである。印刷されたシールはカップ容器側壁部２ａの適当な場所に貼付して活用する。【００２１】図３は、実施形態１に係る商品画像とアンケート設問表示状態のカップ容器斜視図。
カップ容器提供者が側壁部全面使用を承諾した場合は、側壁部２ａに掲示された商品画像４Ａにアンケート４Ｂが組合わされ、適当な位置に持ち帰り用の諸事案内が記載された、剥離容易なシール３を貼付した容器１の斜視図である。側壁部全面の承諾の無い場合は共載のタイアップとする。【００２２】このように、本実施例に係る紙製カップ容器１は、全ての部分が紙製であり白紙である。商品絵図４Ａおよびアンケート募集掲載部位４Ｂは、側壁部２ａのフランジ２ｂ下方から、側壁部２ａ下端の底部に到るスペースである。充分なスペースを有するので、多数の利用者や購買者の目に留まる公算の多い大きさの面積で、充分な商品絵図４Ａの掲示が可能で非常に効率の高いものである。
【実施例２】
【００２３】図４は、二次元バーコード表示状態のカップ容器斜視図。
バーコード５の改良で旧来のバーコードに代わり、小スペースで大きなコンテンツを持つ二次元バーコードのＱＲコード５を用いて、バーコードのコンテンツに宣伝商品画像４Ａ及びアンケート４Ｂを内蔵する。飲料者が携帯電話のカメラでＱＲコード５にアクセスし、携帯電話の液晶画面から商品画像４Ａやアンケート４Ｂを読み取り、アンケートの応答も電話機能操作により可能とするものである。
カップ容器１側壁部２ａの表示は、喫飲用カップ容器に業務用店名や商品名等の表示が有る状態が多く、提供者の意図による全面提携が無い場合は共益なスペース配分で共載のタイアップとする。【００２４】二次元バーコード５の利用は、カップ容器１の提供者の自己業務に対する反動影響不安の解消にも関連するもので、二次元バーコード５は形容が小さく、一見して広告内容が表面に現れることが無い形態なので、容器１提供者は直視的に自己業務を阻害することは無いと理解し、不安を解消してカップは提供されることとなる。またＱＲコード５による宣伝広告手法は、購買層となる携帯電話所有層の現代的感覚に適合するもので、商品の広告効果が顕著であると同時に、アンケート応募者の回答が即応可能により促進され、回収処理及び販売対応の研鑚がコンピュータ利用により処理の促進効果を得るものである。
【図面の簡単な説明】
【００２５】
【図１】カップ容器の斜視図。
【図２】持ち帰り用シール。
【図３】実施形態１に係る商品画像とアンケート表示状態のカップ容器斜視図。
【図４】実施形態２に係る二次元バーコード表示状態のカップ容器斜視図。
【符号の説明】
【００２６】１    カップ容器              ４Ａ  商品画像部位
２ａ  側壁部                  ４Ｂ  アンケート部位
２ｂ  フランジ                ５    二次元バーコード
３    持ち帰り用シール
【手続補正２】
【補正対象書類名】手続補正書
【補正対象項目名】手続補正３
【補正方法】削除
【補正の内容】
【手続補正３】
【補正対象書類名】手続補正書
【補正対象項目名】手続補正４
【補正方法】削除
【補正の内容】
【手続補正４】
【補正対象書類名】手続補正書
【補正対象項目名】手続補正５
【補正方法】削除
【補正の内容】
【手続補正５】
【補正対象書類名】手続補正書
【補正対象項目名】手続補正６
【補正方法】削除
【補正の内容】
【手続補正書】
【提出日】平成16年12月13日(2004.12.13)
【手続補正１】
【補正対象書類名】特許請求の範囲
【補正対象項目名】全文
【補正方法】変更
【補正の内容】
【特許請求の範囲】
【請求項１】
紙及び樹脂製の飲料カップ容器の外周側壁部を宣伝媒体とし、商品画像及びアンケートを表示することを特徴とするカップ容器。
【請求項２】
提携容器を用い側壁部外周を宣伝媒体として、専有又は共載で広告することを特徴とする請求項１記載のカップ容器。
【請求項３】
携帯電話のカメラで読み取る二次元バーコードのコンテンツに、商品画像及びアンケートを内蔵したバーコードを容器に表示又は貼付し、読み取りにより宣伝と回答を求めることを特徴とする請求項１及び２記載のカップ容器。
【請求項４】
アンケートの回収に、応答の必要事項や宣伝を印刷表記した剥離容易なシールを貼付し、シールを持ち帰って回答を可能することを特徴とした請求項１〜３記載のカップ容器。
【手続補正２】
【補正対象書類名】図面
【補正対象項目名】図４
【補正方法】変更
【補正の内容】
【図４】
2005212895.tif 000014